(57)【要約】【課題】  より一層効果の高い偽造、変造、不正コピーの防止策を提供する。【解決手段】  原本では目に見えるが原本のコピーには見えなくなる第１地紋のパターンと、原本では目に見えない潜像を含み原本のコピーには潜像が見えるようになる第２地紋とを合成し、原稿画像とともに印刷する。印刷物では、第１地紋のパターンは消え、第２地紋のパターンの潜像が見えるようになる。【選択図】図１５
2006121518.tif 000002
【特許請求の範囲】
【請求項１】
原本を印刷出力する画像処理装置であって、
原本では目に見えるが原本の再生物には見えなくなる第１地紋のパターンを記憶する第１記憶手段と、
原本では目に見えない潜像を含み原本から再生される原本の再生物には潜像が見えるようになる第２地紋を記憶する第２記憶手段と、
第１地紋と第２地紋とを合成する合成手段と、
原稿画像と、合成手段により合成された第１地紋と第２地紋とからなる印刷データを作成する印刷データ作成手段と
を備える画像処理装置。
【請求項２】
さらに、前記第１地紋または第２地紋のパターンを編集する編集手段を備えることを特徴とする請求項１に記載された画像処理装置。
【請求項３】
前記第１地紋と前記第２地紋とを異なるパターンで合成することを特徴とする請求項１に記載された画像処理装置。
【請求項４】
前記第１地紋は、原稿画像とは異なる色の色情報パターンからなることを特徴とする請求項１または２に記載された画像処理装置。
【請求項５】
前記第２地紋が文字、記号のパターンを形成していることを特徴とする請求項１〜３のいずれかに記載された画像処理装置。
【請求項６】
原本を印刷出力する画像処理装置であって、
原本では目に見えるが原本の再生物には見えなくなる第１地紋のパターンを記憶しておき、
原本では目に見えない潜像を含み原本から再生される原本の再生物には潜像が見えるようになる第２地紋を記憶しておき、
第１地紋と第２地紋とを合成し、
原稿画像と、合成手段により合成された第１地紋と第２地紋とからなる印刷データを作成する
画像処理方法。
【請求項７】
さらに、前記第１地紋または第２地紋のパターンを編集し、編集後の第１地紋と第２地紋とを合成することを特徴とする請求項６に記載された画像処理方法。
【請求項８】
前記第１地紋と前記第２地紋とを異なるパターンで合成することを特徴とする請求項６に記載された画像処理方法。
【請求項９】
複写機と接続される画像処理装置により実行される画像処理プログラムであって、
原本では目に見えるが複写機より複製される原本のコピーには見えなくなる第１地紋のパターンを記憶するステップと、
原本では目に見えない潜像を含み複写機より複製される原本のコピーには潜像が見えるようになる第２地紋を記憶するステップと、
第１地紋と第２地紋とを合成するステップと、
原稿画像と、合成手段により合成された第１地紋と第２地紋とからなる印刷データを作成するステップと
からなる画像処理プログラム。
【請求項１０】
さらに、前記第１地紋または第２地紋のパターンを編集するステップを備えることを特徴とする請求項９に記載された画像処理プログラム。
【請求項１１】
前記第１地紋と前記第２地紋とを異なるパターンで合成することを特徴とする請求項９に記載された画像処理プログラム。
【発明の詳細な説明】
【技術分野】
【０００１】
本発明は、機密文書などの複製が禁止された文書の不正複写や社外などへの漏洩を抑止することができる画像処理に関する。
【背景技術】
【０００２】
近年、電子写真技術を利用した複写機が普及し、これを利用して誰でも簡単に紙などに印刷された文字や画像を複写できるようになった。特に、最近のカラーデジタル複写機（ＭＦＰ)によれば、画像処理技術、画像形成技術の飛躍的な向上もあり、原本との見分け方がきわめて困難な複写物でさえも容易に作成できるようになっている。
【０００３】
そのため、重要文書や機密文書などの複製が禁止された印刷物を複写することにより、不正に原本（原稿）と同等の印刷物が入手され、また、社外などへ流出、漏洩されるという問題が生じるようになった。そのため、重要書類などの印刷物の偽造、変造、不正コピーの防止対策は重要な要素である。これらの印刷物の不正コピーの防止対策としては、予め複製が禁止された文書であることを示す特徴を登録させておき、コピー時に入力された画像から抽出した特徴と、該登録された特徴とを比較することによって、原稿が複製禁止文書であるか否かを識別し、そのコピーを禁止する方法がいくつか提案されている（たとえば特開平６−１２５４５９号公報、特開２００１−８６３３０号公報、特開平７−３６３１７号公報）。また、複製が禁止された印刷物を複写した場合、原本（原稿）と同等の複写物を出力しないように、コピー出力時に目視では認識できなかった潜像を現出させることにより、心理的に不正複写を抑止する効果をねらった技術も提案されている（たとえば特開２００１−１９７２９７号公報、特開２００４−２０１０６８号公報）。
【特許文献１】特開平６−１２５４５９号公報
【特許文献２】特開２００１−８６３３０号公報
【特許文献３】特開平７−３６３１７号公報
【特許文献４】特開２００１−１９７２９７号公報
【特許文献５】特開２００４−２０１０６８号公報
【発明の開示】
【発明が解決しようとする課題】
【０００４】
しかし、登録された特徴と比較して原稿が複製禁止文書であるか否かを識別する前者の従来技術においては、予め複製が禁止された文書すべての特徴を登録させておかなければならないので、ある限られた範囲の文書にしか適用できないうえに、特徴を比較して同一か否かを識別するという技術を複写機に実装しなければならないので、技術が複雑化する。また、この技術を実装していない複写機では原本（原稿）と見分けがつかない複写物を出力してしまうという問題があった。
また、後者のコピー出力時に目視では認識できなかった潜像を現出させる従来技術においては、この問題はないものの、複写物自体は出力されることから、潜像の現出だけでは心理的な不正複写の抑止効果が小さいという課題があった。
【０００５】
この発明の目的は、より一層効果の高い原本の偽造、変造、不正コピーの防止策を提供することである。
【課題を解決するための手段】
【０００６】
本発明に係る原本を印刷出力する画像処理装置は、原本では目に見えるが原本の再生物には見えなくなる第１地紋のパターンを記憶する第１記憶手段と、原本では目に見えない潜像を含み原本から再生される原本の再生物には潜像が見えるようになる第２地紋を記憶する第２記憶手段と、第１地紋と第２地紋とを合成する合成手段と、原稿画像と、合成手段により合成された第１地紋と第２地紋とからなる印刷データを作成する印刷データ作成手段とを備える。好ましくは、さらに、第１地紋または第２地紋のパターンを編集する編集手段を備える。
【０００７】
前記画像処理装置において、たとえば、前記第１地紋と前記第２地紋とを異なるパターンで合成する。または、前記第１地紋は、たとえば、複写機の下地とばし機能で消える階調のパターンである。または、前記第２地紋は、たとえば、文字、記号のパターンを形成している。
【０００８】
本発明に係る画像処理方法では、原本を印刷出力する画像処理装置において、原本では目に見えるが原本の再生物には見えなくなる第１地紋のパターンを記憶しておき、また、原本では目に見えない潜像を含み原本から再生される原本の再生物には潜像が見えるようになる第２地紋を記憶しておく。第１地紋と第２地紋とを合成し、原稿画像と、合成手段により合成された第１地紋と第２地紋とからなる印刷データを作成する。好ましくは、さらに、第１地紋または第２地紋のパターンを編集可能とし、編集後の第１地紋または第２地紋を合成する。また、好ましくは、前記第１地紋と前記第２地紋とを異なるパターンで合成する。
【０００９】
本発明に係る原本を印刷出力する画像処理装置により実行される画像処理プログラムは、原本では目に見えるが原本の再生物には見えなくなる第１地紋のパターンを記憶するステップと、原本では目に見えない潜像を含み原本から再生される原本の再生物には潜像が見えるようになる第２地紋を記憶するステップと、第１地紋と第２地紋とを合成するステップと、原稿画像と、合成手段により合成された第１地紋と第２地紋とからなる印刷データを作成するステップとからなる。好ましくは、さらに、第１地紋または第２地紋のパターンを編集可能とし、編集後の第１地紋または第２地紋を合成する。また、好ましくは、前記第１地紋と前記第２地紋とを異なるパターンで合成する。
【発明の効果】
【００１０】
２種の地紋、すなわち、原本を印刷した時に見えるが原本から再生される再生物には見えなくなる第１地紋および原本を印刷したときには見えない潜像を含み原本から再生される再生物には見えるようになる第２地紋を合成するという簡単な構成により、通常の地紋の場合より、原本とコピーの差をさらに明確化でき、より視覚的な効果が得られ、不正複製に対する抑止力が増す。また、専用のインクや用紙を使用せずに、通常の複写機を使用できるので、新たな投資が不要である。
【００１１】
原本を印刷した時に見えるがコピー時に見えなくなる第１地紋として、色情報や階調情報を用いると、より視覚的な効果が得られ、抑止力が増す。
【００１２】
原本を印刷した時に見えるが再生物には見えなくなる第１地紋を有しているので、再生物から情報を欠落させることができる。そのため、再生物は情報制限（プロテクト）できる。
【発明を実施するための最良の形態】
【００１３】
以下、本発明の実施の形態を添付の図面を参照して説明する。
【００１４】
発明の１つの実施の形態に係るシステムでは、クライアントコンピュータとＭＦＰ（複写機）などがＬＡＮなどのネットワークを介して接続されている。クライアントコンピュータ１０は、たとえばパーソナルコンピュータであり、本体部１００、ディスプレイ装置１３０、キーボード１３２及びマウス１３４を備えている。本体部１００には、全体を制御するＣＰＵ１０２、プログラムやデータを記憶するＲＯＭ１０４、ワークエリアとして使用されるＲＡＭ１０６、ＬＡＮなどのネットワークと接続されるネットワークインタフェース１０８、ハードディスク装置１１０が含まれる。ハードディスク装置１１０には、オペレーティングシステム１１２、プリンタにおける印刷制御のためのプリンタドライバ１１４及び文書作成のためのアプリケーションソフトウェア１１６がインストールされている。また、地紋パターン記憶部１１８に第１と第２の地紋パターン１２０，１２２が記憶される。
【００１５】
図２は、クライアントコンピュータとネットワークを介して接続される複写機の１例であるＭＦＰ（多機能装置）の構成を示す。ＭＦＰでは、クライアントコンピュータと同様に、全体を制御するＣＰＵ２００に、ＲＯＭ２０２、ＲＡＭ２０４、操作パネル２０６、ハードディスク装置２０８、ネットワークインタフェース２１６が接続される。さらに、ＣＰＵ２００に、画像を読み取るスキャナ部２１０、印刷を行う印刷部２１２、ＦＡＸ送受信を行うＦＡＸ送受信部２１４が接続される。
【００１６】
図３は、ＭＦＰのスキャナ部２１０の画像処理ブロックを示す。この画像処理ブロックでは、ＣＣＤ２３０は、対象となる画像をＲ，Ｇ，Ｂのカラーで読取り、Ａ／Ｄ変換部２３２は、読み取られたＲＧＢのアナログ画像データをデジタルデータに変換する。さらに、補正部２３４は、デジタルデータＲ，Ｇ，Ｂについてシェーディング補正、色収差補正などの補正を行い、また、その後に画像の変倍や移動処理を行なう。色変換部２３６は、ＲＧＢ色空間で表わされる入力画像データを、VCrCb色空間で表わされる画像データに変換する。次に、VCrCb色空間で表わされた画像データに対して、色補正部２３８は、ダイレクトマッピング法を用いてプリンタに必要なＣＭＹ色空間で表わされる出力画像データ（ＣＭＹＫデータ）に変換・補正し、領域判別部２４０は、画像の写真・文字などの領域を判別する。次に、画像補正部２４２において、ＣＭＹＫデータに対して、ＭＴＦ補正部２４４は、領域判別部２４０による領域判別結果に応じてＭＴＦ補正を行なう。階調補正部２４６は、階調補正を行う。プリンタＩ／Ｆ部２４８は、ＭＴＦ補正が行なわれた後のＣＭＹＫデータを印刷部２１４へ送信する。
【００１７】
ＭＦＰに接続されているコンピュータの使用者がアプリケーションソフトウェア１１６を起動して、文書などを作成し、その印刷の実行を指示するとき、図４に示すような印刷画面５０が表示される。ここで「プロパティ」ボタン５１を押すと、図５に示す画面６０が表示される。画面６０は、地紋プリントのプロパティを設定する画面であり、ユーザは２種の地紋が編集できる。また、図１に示すように、ハードディスク装置１１０には、地紋パターン記憶部１１８が設けられ、第１地紋パターン１２０と第２地紋パターン１２２が記憶される。図４の印刷画面５０で「ＯＫ」ボタン５２がマウスなどにより押されると、その印刷の実行をプリンタに要求し、印刷を実行させる。地紋編集については後で説明する。
【００１８】
次に地紋の編集について説明する。重要書類などの印刷物の偽造、変造、不正コピーの防止対策として、主に幾何学的模様を多用した図柄（地紋、彩紋模様、レリーフ模様など）をデザインに用いる方法が知られている。また、印刷物に対して何らかの手段と作用を加えると目視では認識できなかった潜像を現出する方法も知られている。たとえば、原稿の一部に大きさの異なる網点を種々形成しておくことにより潜像を形成できるが、そのほか、潜像の形成には、線画像、網点、波状線、万線、トーンジャンプ、モアレなどを利用した種々の手法が公知であり、適当な手法を採用できる。本実施形態では、原本を印刷した時に見えるが原本から再生される再生物には見えなくなる第１地紋と、原本では見えない潜像を含み原本から再生される再生物には潜像が見えるようになる第２地紋とを組み合わせて合成して、出力する。原本を印刷したときには、ユーザーは第１地紋を見て原本であることを容易に判断できる。また、原本から再生させる再生物を作成したときには、ユーザーは第２地紋の潜像を見て原本から再生された再生物であることを容易に判断できる。
【００１９】
画像処理ブロックには、裏写り、原稿の色、汚れ等を防止するための画像処理機能（たとえば下地色とばし機能）が搭載されている。したがって、第１地紋のパターンの読み取りの解像度限界により色情報によりＣＣＤセンサで読み取った際に、また、画像処理ブロックにおける画像処理機能（下地色とばし機能など）により、第１地紋のパターンは消失する。したがって、コピー後には第１地紋は消える。地紋パターンは、文書の背景部分に追加されるドットパターンであり、ドット、線、模様などの繰り返しパターンである。ドットなどの大きさが複写機により認識可能な解像度より小さければ、地紋はコピー後に消える。なお、ＭＦＰ内に地紋パターンについての情報を記憶しておき、読取画像データから第１地紋を検出する検出処理ブロックまたは地紋検出処理プログラムを用いて、第１地紋を検出して消すようにしてもよい。同様に、第２地紋から潜像を検出して印刷データに付加するようにしてもよい。
【００２０】
複写機の解像度限界を用いる場合について説明すると、複写機の解像度が１０line／mm程度であるとすると、これ以上の解像度で印刷された原本はスキャンの際に著しい再現性の劣化が発生する。地紋にこの解像度以上のパターン、潜像部分にこれ以下のパターンを用いつつ、単位面積あたりの色濃度を等しくすることによって、一見同一のパターンに見えるが、複写することにより解像度の高い部分がつぶれ、潜像が現出するような地紋が構成できる。もちろん、地紋と潜像で解像度を逆にしても等しく目的を達することができる。ただし、この場合、複写機の解像度を大きく上回る解像度で印刷ができることが条件である。
【００２１】
図６は、プリンタドライバ１１４における地紋編集のフローチャートである。第１地紋パターンデータ１２０と第２地紋パターンデータ１２２は地紋パターン記憶部１１８に記憶されている。図５の画面で地紋プリントタブがユーザーにより選択されると（Ｓ１００）、地紋設定画面を表示する（Ｓ１０２）。「同時設定」ボタン６４がユーザーにより押されると（Ｓ１０４でＹＥＳ）、第１地紋パターンを編集し（Ｓ１０６）、続いて、第２地紋パターンを編集する（Ｓ１０８）。これを、「ＯＫ］ボタン６４が押される（Ｓ１１０でＹＥＳ）まで繰り返す。また、「第１地紋パターン編集」ボタン６２がユーザーにより押されると（Ｓ１１２でＹＥＳ）、第１地紋パターンを編集する（Ｓ１１４）。また、「第２地紋パターン編集」ボタン６３がユーザーにより押されると（Ｓ１１２でＮＯ）、第２地紋パターンを編集する（Ｓ１１６）。これを、「ＯＫ」ボタン６４が押される（Ｓ１１８でＹＥＳ）まで繰り返す。「ＯＫ」ボタン６４が押されると、図５の画面が閉じて、図４の画面に戻る。ここで「ＯＫ」ボタン５２が押されると（Ｓ１２０でＹＥＳ）、編集された地紋パターンを、必要に応じてユーザーが記述する内容（原稿）に合成してプリンタ（ＭＦＰ）に送信する（Ｓ１２２）。これにより、プリンタ（ＭＦＰ）で原本が印刷される。
【００２２】
図７は、図６における第１地紋パターン編集（Ｓ１０６）のフローチャートである。まず、デフォルトパターンとして「原本」という文字を選択し（Ｓ１０６１）、次に、ユーザーから他のパターンへの選択指示があったか否かを判断する（Ｓ１０６２）。他のパターンへの選択指示があると、ユーザーにより選択されたパターンを設定する（Ｓ１０６３）。ここでは、あらかじめ複数種登録されているパターンからユーザーが選択しているが、ユーザーが任意の文字などを入力できるようにしてもよい。次に、第１地紋のデフォルトの印刷方式として、印刷の際に下地とばしにより消えてしまう低濃度での印刷方式を設定し（Ｓ１０６４）、次に、ユーザーにより他の方式の選択があったか否かを判断する（Ｓ１０６５）。選択された印刷方式が高解像度印刷であると判別すると（Ｓ１０６６）、スキャナ部２１０の読取解像度よりも高い解像度での印刷方式を設定するが（Ｓ１０６７）、そうでなければ、選択された印刷方式を設定する（Ｓ１０６８）。
【００２３】
図８は、図６における第２地紋パターン編集（Ｓ１０８）のフローチャートである。まず、デフォルトパターンとして「コピー」という文字を選択し（Ｓ１０８１）、次に、ユーザーから他のパターンへの選択指示があったか否かを判断する（Ｓ１０８２）。他のパターンへの選択指示があると、ユーザーにより選択されたパターンを設定する（Ｓ１０８３）。ここでは、あらかじめ複数種登録されているパターンからユーザーが選択しているが、ユーザーが任意の文字などを入力できるようにしてもよい。次に、第２地紋のデフォルトの印刷方式として、潜像部がスキャナ部の読取解像度以下の低解像度を、地紋パターン部には読取解像度より高い解像度を設定し、濃度としては、潜像部と地紋パターン部の両方とも同じ濃度レベルを設定する（Ｓ１０８４）。こうすることにより、原本としての印刷出力時には潜像部と地紋パターン部ともに同じ濃度レベルなので潜像部は目に見えることなく、この原本の複写時には地紋パターン部がスキャナ部で読み取られないので消えてしまい、結果として潜像を浮き上がらせることができる。次に、ユーザーにより印刷方式の選択があったか否かを判断する（Ｓ１０８５）。選択があると、選択された印刷方式を設定する（Ｓ１０８６）。
【００２４】
なお、地紋と原稿を別々に同じ用紙に印刷してもよい。具体的には、合成した地紋と、原稿とを別々にプリンタに送信する。プリンタでは、最初に地紋を印刷した用紙の上に、ユーザー記述内容（原稿）を印刷する。また、あらかじめ合成地紋パターンを印刷した用紙に原稿データを印字してもよい。なお、ＭＦＰに第１地紋パターンと第２地紋パターンを記憶させておき、プリンタドライバから送信されてくるコマンド信号に応じて、これらの地紋パターンを選択し、コンピュータのプリンタドライバから送信されてくる原稿画像データに合成して印刷して原本を出力させてもよい。
【００２５】
次に、地紋合成の具体的な例を説明する。図９の原本の例では、地紋は、コピーすると消える第１地紋（図１０）と、原本では見えないが原本をコピーすると潜像が浮き上がり見えるようになる第２地紋（図１１）との２種類の地紋から合成されている。図９の第１地紋は、たとえば「原本」の文字からなるパターンであり、ユーザーは第１地紋をみることにより、原本であることが容易に判る。図１１の第２地紋は、「コピー」の文字を潜像として含むパターンであるが、潜像としては、その他、「複製物」、「複製禁止物」などの文字、著作者名など、原本の再生物であることが見て判る文字、図形などでもよい。また、図１２は、ユーザーが記述した内容（文字、写真など）の例である。原本（図６）は、これらを別々または同時に１枚の用紙に印刷したものである。
【００２６】
図１３は、図９に示す原本を複写機でコピーして得られたものを示す。図１０に示す第１地紋は、図１４に示すように、原本のコピーでは消えてしまい、ユーザーの目には見えない。また、図１１に示す第２地紋は、原本（図９）では、ユーザーの目には見えないが、図１５に示すように、原本のコピーでは「コピー」という文字として浮き上がり、ユーザーに容易に見えるように変化している。したがって、ユーザーは原本でないことが容易に判る。
【００２７】
図１６は、複写機（ＭＦＰ）で原本をコピーするときのフローを示す。原本のコピーを開始すると（Ｓ２００）、スキャナ部２１０に原本を置き、原本のスキャンを開始する（Ｓ２０２）。ここで、読み取られた画像データのうち、スキャナ部の読取解像度以下の解像度の画像データについて、高解像度の第２地紋パターン（地紋パターン部）を消去した画像データを得る（Ｓ２０４）。この画像データが印刷部２１２に送られると、印刷部２１２の画像処理ブロックにおいて、画像データに基づいて印刷データを作成する。このとき、下地除去処理において低濃度の第１地紋パターンを消去する（Ｓ２０６）。そして、処理後の印刷データを用紙に印刷させる（Ｓ２０８）。結果として、原本を印刷したときにユーザーがみることができコピーすると消える第１地紋は、コピー後に消えている。また、第２地紋は、原本を印刷したときにユーザーに見えないが、コピー後に、潜像が浮き上がって見えるようになる。
【００２８】
原本を印刷した時に見えるがコピー時に見えなくなる第１地紋として、色情報や階調情報を用いると、よりビジュアルな効果が得られ、抑止力が増す。図１７は、第１地紋として、複写機で読み取れない、または、正確に再現できない淡い色調の色文字を原本に用いる例の画像処理ブロックにおける処理フローを示す。淡い色で原稿の文字を印刷した原稿のコピーを開始すると（Ｓ３００）、その原本の画像を読み取る（Ｓ３０２）。印刷部２１２において、画像処理ブロックには、裏写り、原稿の色、汚れ等を防止するための画像処理機能（たとえば下地色とばし機能）が搭載されているので、読み取った画像データに対してその画像処理機能を実行する（Ｓ３０４）。次に、処理後の画像データを印字させる（Ｓ３０６）。原本のコピーには、結果として淡い色で印刷された地紋は消えている。
【００２９】
また、プリンタで再現可能な色空間と、複写機で読み取り可能な色空間には違いがあるため、複写機で再現できない色域の色を印刷することにより、それを複写した際には原本と明らかに異なる結果となるような印刷物を作成できる。このそれぞれの色空間は当然ながら機種固有であるので、印刷する機種や複製する機種がある程度限定できる際に利用できる。
【００３０】
また、図１８に示す例では、原本を印刷した時に見えないがコピー時に見えるようになる第２地紋で文字、記号などを形成している。すなわち、第２地紋を、用紙全面に印刷するのではなく、文字、記号などを形成するように発生させる。その結果、コピーの後には、形成された文字、記号は消え、潜像が浮かび上がってくる。
【００３１】
次に、潜像に意味を持たせて情報をプロテクトできる１例を示す。図９のような、印刷時にユーザーにみることができ、コピーすると見えなくなる第１地紋を使い、重要情報を記載しておく。この場合、コピーにはその情報が欠落するので、情報漏洩が不可能となる。
【００３２】
なお、いうまでもなく、コピーの際に潜像（地紋）が現出し、原本の複写物であることを容易に認識できるようにする複写防止機能は、複写機におけるコピーだけでなく、スキャナで読み取った読取データをプリンタで印字する場合にも適用される。
【図面の簡単な説明】
【００３３】
【図１】クライアントコンピュータの構成を示すブロック図
【図２】ＭＦＰの構成を示すブロック図
【図３】スキャナ部の画像処理ブロックの図
【図４】印刷設定画面の図
【図５】地紋プリントのプロパティを設定する画面の図
【図６】地紋編集のフローチャート
【図７】第１地紋パターンの編集のフローチャート
【図８】第２紋パターンの編集のフローチャート
【図９】原本の１例の図
【図１０】図９の原本を構成する第１地紋の図
【図１１】図９の原本を構成する第２地紋の図
【図１２】図９の原本を構成する原稿の図
【図１３】図９の原本から複製されたコピーの図
【図１４】第１地紋のコピーの状況を示す図
【図１５】第２地紋のコピーの状況を示す図
【図１６】原本をコピーするときのフローチャート
【図１７】淡い色を用いた原本のコピーのフローチャート
【図１８】第２地紋で文字を形成する例の図
【符号の説明】
【００３４】
１００  クライアントコンピュータの本体部、    １０２  ＣＰＵ、    １１４  プリンタドライバ、    １１６  アプリケーションソフトウェア、    ６０  地紋プリントのプロパティを設定する画面、    １１８  地紋パターン記憶部、    １２０  第１地紋パターン、    １２２  第２地紋パターン。
【図１】
2006121518.tif 000003
【図２】
2006121518.tif 000004
【図３】
2006121518.tif 000005
【図４】
2006121518.tif 000006
【図５】
2006121518.tif 000007
【図６】
2006121518.tif 000008
【図７】
2006121518.tif 000009
【図８】
2006121518.tif 000010
【図９】
2006121518.tif 000011
【図１０】
2006121518.tif 000012
【図１１】
2006121518.tif 000013
【図１２】
2006121518.tif 000014
【図１３】
2006121518.tif 000015
【図１４】
2006121518.tif 000016
【図１５】
2006121518.tif 000017
【図１６】
2006121518.tif 000018
【図１７】
2006121518.tif 000019
【図１８】
2006121518.tif 000020